(57)【要約】    【課題】補強部材の無駄を抑えながら開閉扉を容易に補強できると共に製作コストを低減できるようにする。      【解決手段】遊技盤６の遊技領域１７を透視可能な開閉扉７の左右一端側をヒンジ９により遊技機本体２，３に開閉自在に枢着し、左右他端側を施錠手段１１により遊技機本体２，３に閉状態で施錠するようにした弾球遊技機において、少なくとも、開閉扉７の一端側を補強する板金製の第１補強部材３２ａと、開閉扉７の他端側を補強する板金製の第２補強部材３２ｂと、開閉扉７の下端側を補強する板金製の第３補強部材３２ｃとを備え、第２補強部材３２ｂの板厚Ｔｂを第１補強部材３２ａの板厚Ｔａよりも厚くし、第２補強部材３２ｂに施錠手段１１の掛け具８４が係脱自在に係合する受け具６２を折り曲げ加工により一体に設ける。【選択図】図４
2015051349.tif 000002
【特許請求の範囲】
【請求項１】
遊技機本体の遊技盤の前面側に配置され且つ左右一端側のヒンジにより前記遊技機本体に開閉自在に枢着された開閉扉を備え、
該開閉扉は前記遊技盤の遊技領域に対応する窓孔が形成された扉主体と、該扉主体の裏側に着脱自在に装着され且つ前記遊技領域を透視可能に前記窓孔を塞ぐ透明板ユニットとを備えた弾球遊技機において、
前記扉主体の前記一端側を補強する一端側補強部材と、前記扉主体の左右他端側を補強する他端側補強部材と、前記扉主体の下部側を補強する下部側補強部材とを備え、
前記扉主体の下部側に、前記透明板ユニットが上側から係脱自在に係合する係合手段を備え、
前記扉主体の上部側に、前記透明板ユニットの保持部材から外周側に突出する突出部を前記扉主体の裏側に締結する締結手段を備え、
前記透明板ユニットを位置決めする位置決め手段を前記突出部に対応して前記扉主体に備えた
ことを特徴とする弾球遊技機。
【発明の詳細な説明】
【技術分野】
【０００１】
本発明は、パチンコ機、アレンジボール機等の弾球遊技機に関するものである。
【背景技術】
【０００２】
パチンコ機等の弾球遊技機では、遊技機本体に装着された遊技盤の前側にガラス扉を配置し、その窓孔からガラス板ユニットを介して遊技盤の遊技領域を透視するようになっている。ガラス扉は左右一端側の上下複数のヒンジにより遊技機本体に開閉自在に枢着され、また左右他端側の施錠手段により閉状態で遊技機本体に施錠されている。
【０００３】
ガラス扉は、従来、遊技領域に対応する窓孔が形成された扉主体と、この扉主体の裏側に着脱自在に装着されたガラス板ユニットとを備え、また扉主体は合成樹脂製の扉枠と、この扉枠を裏面から補強する板金製の補強板と、扉枠の前面に装着された化粧カバーとを備えている。補強板にはその一端側にヒンジ用のヒンジ金具が、他端側に施錠手段の掛け具が係脱自在に係合する受け具が夫々設けられている（特許文献１、２）。
【先行技術文献】
【特許文献】
【０００４】
【特許文献１】特開２００８−２３１５８号公報
【特許文献２】特開２００８−１４８８５６号公報
【発明の概要】
【発明が解決しようとする課題】
【０００５】
ガラス扉は扉枠の裏側に補強板を装着して補強されているが、従来の補強板には比較的板厚の薄い板金材を扉枠に対応する形状に切断して、その内外周縁に補強リブを折り曲げ形成したものが使用されている。
【０００６】
このため補強板を製作する際には、比較的板厚の薄い板金材とは云え、扉枠の外形状に対応する大きさな板金材を準備しなければならず、しかも板金材の内周に窓孔に対応する大きな開口を形成する必要があって、材料の無駄が多く歩留りが低下して製作コストが高騰する欠点がある。
【０００７】
また従来の補強板は比較的板厚の薄い板金材を使用しながら、その面積を広くすることによって所定の補強効果を得るようにしているため、補強板の他端側に施錠手段の受け具を溶接により固定している。このため板金材の切断、折り曲げ等の他に溶接等の作業が必要であり、これが補強板の製作コストの高騰の一因にもなっている。
【０００８】
本発明は、このような従来の問題点に鑑み、補強部材の無駄を抑えながら開閉扉を容易に補強できると共に製作コストを低減できる弾球遊技機を提供することを目的とする。
【課題を解決するための手段】
【０００９】
本発明は、遊技機本体の遊技盤の前面側に配置され且つ左右一端側のヒンジにより前記遊技機本体に開閉自在に枢着された開閉扉を備え、該開閉扉は前記遊技盤の遊技領域に対応する窓孔が形成された扉主体と、該扉主体の裏側に着脱自在に装着され且つ前記遊技領域を透視可能に前記窓孔を塞ぐ透明板ユニットとを備えた弾球遊技機において、前記扉主体の前記一端側を補強する一端側補強部材と、前記扉主体の左右他端側を補強する他端側補強部材と、前記扉主体の下部側を補強する下部側補強部材とを備え、前記扉主体の下部側に、前記透明板ユニットが上側から係脱自在に係合する係合手段を備え、前記扉主体の上部側に、前記透明板ユニットの保持部材から外周側に突出する突出部を前記扉主体の裏側に締結する締結手段を備え、前記透明板ユニットを位置決めする位置決め手段を前記突出部に対応して前記扉主体に備えたものである。
【発明の効果】
【００１０】
本発明では、補強部材の無駄を抑えながら開閉扉を容易に補強できると共に製作コストを低減できる利点がある。
【図面の簡単な説明】
【００１１】
【図１】本発明の第１の実施形態を示すパチンコ機の正面図である。
【図２】同ガラス扉の正面図である。
【図３】同ガラス扉の背面図である。
【図４】同ガラス扉の裏側の分解斜視図である。
【図５】同ガラス扉の側面断面図である。
【図６】同ガラス扉の平面断面図である。
【図７】同ガラス扉の平面断面図である。
【図８】同ガラス板ユニットの正面図である。
【図９】同ガラス板ユニットの平面断面図である。
【図１０】同上部ガラス扉用ヒンジ部分の側面断面図である。
【図１１】同下部ガラス扉用ヒンジ部分の側面断面図である。
【図１２】同施錠操作手段部分の側面断面図である。
【図１３】同下部ガラス扉用ヒンジ部分の平面断面図である。
【図１４】同ガラス板ユニットと第３補強部材との斜視図である。
【図１５】同第３補強部材の断面図である。
【図１６】同施錠操作手段部分の背面断面図である。
【図１７】同施錠操作手段部分の内側断面図である。
【図１８】同締結手段の背面図である。
【図１９】同締結手段の断面図である。
【図２０】本発明の第２の実施形態を示すガラス扉の平面断面図である。
【図２１】同要部の背面図である。
【図２２】本発明の第３の実施形態を示すガラス扉の背面図である。
【図２３】本発明の第４の実施形態を示すガラス扉の背面図である。
【図２４】同ガラス扉の側面断面図である。
【図２５】同平面断面図である。
【図２６】同平面断面図である。
【発明を実施するための形態】
【００１２】
以下、本発明の各実施形態を図面に基づいて詳述する。図１〜図１９は本発明をパチンコ機に採用した第１の実施形態を例示する。パチンコ機１は、図１に示すように、矩形状の外枠２と、この外枠２の前側に装着された前枠３とを備えている。なお、外枠２、前枠３により遊技機本体が構成されている。
【００１３】
前枠３は左右一端側が上下一対の前枠用ヒンジ４により外枠２に縦軸廻りに開閉自在に枢支され、左右他端側が前枠用施錠手段５（図７参照）により外枠２に閉状態で施錠されている。前枠３の上部には遊技盤６が着脱自在に装着され、その遊技盤６の前側にガラス扉（開閉扉）７が、ガラス扉７の下側に前面板８が夫々配置されている。
【００１４】
ガラス扉７、前面板８は、左右一端側がガラス扉用ヒンジ９、前面板用ヒンジ１０により前枠３に開閉自在に枢支され、左右他端側が閉状態でガラス扉用施錠手段１１（図７参照）、前面板用施錠手段（図示省略）により前枠３に施錠されている。各ヒンジ４，９，１０は同一側で略同一軸心上に配置されている。
【００１５】
前枠用施錠手段５は前枠３を閉じたときに、ガラス扉用施錠手段１１はガラス扉７を閉じたときに夫々施錠し、共通の施錠操作手段１２のキー操作により解除するようになっている。前面板用施錠手段は前面板８を閉じたときに施錠し、ガラス扉７を開放して手動操作したときに施錠を解除するようになっている。
【００１６】
前面板８の前側には、発射用の遊技球を貯留する球供給皿１３と、余剰球を貯留する球受け皿１４とが上下に配置され、その側方に遊技球を発射する発射手段（図示省略）の発射ハンドル１５が設けられている。
【００１７】
遊技盤６の前面には、発射手段から発射された遊技球を案内するガイドレール１６が略円弧状に配置されると共に、そのガイドレール１６の内側の遊技領域１７に画像表示手段１８、普通図柄始動手段１９、特別図柄始動手段２０、可変入賞手段２１、普通入賞手段２２等の各種の遊技部品が配置されている。画像表示手段１８はその画像表示部２３に遊技画像２４ａ〜２４ｃ等を変動表示可能である。
【００１８】
ガラス扉７は図２〜図７に示すように、遊技盤６の遊技領域１７に対応する窓孔２５を有する扉主体２８と、この扉主体２８の裏側に係合手段２９及び締結手段３０を介して着脱自在に装着されたガラス板ユニット３１と、ガラス扉７の少なくとも左右両側部及び下部を補強する第１〜第３補強部材３２ａ〜３２ｃとを備え、窓孔２５内のガラス板ユニット３１を介して遊技領域１７を前面から透視するようになっている。なお、ガラス板ユニット３１は扉主体２８の裏面に略全周が押圧した状態で装着可能であり、その装着状態では扉主体２８を裏側から補強するように構成されている。
【００１９】
ガラス板ユニット３１は図８、図９に示すように、前後２枚のガラス板３４と、このガラス板３４を外周側で保持する保持部材３５とを備え、内部に密閉空間３８ができるようにガラス板３４と保持部材３５とが接着等で固定されている。保持部材３５は２枚のガラス板３４間の間隔を保持する間隔保持部３６と、この間隔保持部３６の前後両側で各ガラス板３４の外周を取り囲む周壁部３７とを一体に有する。保持部材３５の前側の周壁部３７は前側のガラス板３４の前面よりも若干突出しており、その前端縁の全周が扉主体２８の裏面に当接する当接部３９となっている。
【００２０】
なお、ガラス板ユニット３１は左右一対の上下方向の側縁４０ａ，４０ｂと、この側縁４０ａ，４０ｂの下端間に円弧縁を介して連続する左右方向の下縁４０ｃと、側縁４０ａ，４０ｂの上端間を接続する上向き円弧状又は略台形状の上縁４０ｄとを有し、窓孔２５の形状が異なる複数種類のガラス扉７に共通に使用できるように、扉主体２８に形成可能な最大の窓孔２５よりも大きく構成され、扉主体２８に装着したときに保持部材３５が窓孔２５の外側に位置するようになっている。
【００２１】
扉主体２８は図２〜図７に示すように、外周形状が前枠３の前面板８よりも上側の部分に対応する矩形状であって、左右一対の側枠部４２ａ，４２ｂ、下枠部４２ｃ及び上枠部４２ｄが一体に形成された合成樹脂製の扉枠４３と、この扉枠４３の前面に装着された化粧カバー４４とを有し、上下一対のガラス扉用ヒンジ９を介して前枠３に枢着されている。
【００２２】
扉枠４３の側枠部４２ａの裏面には第１補強部材３２ａが、側枠部４２ｂの裏面には第２補強部材３２ｂが夫々上下方向に装着され、下枠部４２ｃの裏面には第３補強部材３２ｃが左右方向に装着されており、これらの第１〜第３補強部材３２ａ〜３２ｃにより、扉枠４３の各枠部４２ａ〜４２ｃを裏側から補強するようになっている。また扉枠４３の上枠部４２ｄの左右両側にスピーカユニット４５が、またスピーカユニット４５の周辺を含む周方向の略全周又は周方向の複数箇所に発光表示手段（図示省略）が夫々組み込まれている。
【００２３】
扉枠４３の内側は窓孔２５よりも若干大きい開口となっている。化粧カバー４４は周方向に複数個に分割されており、その個々の化粧カバー４４は内部のスピーカユニット４５、発光表示手段等を覆い、また内周側には扉枠４３の内周縁近傍に嵌合して窓孔２５を形成する内周壁４４ａを有する。扉主体２８にはガラス扉用ヒンジ９と反対側の側枠部４２ｂの下部に施錠操作手段１２が設けられ、この施錠操作手段１２にキーを挿入して正方向に回動操作したときに前枠用施錠手段５が、逆方向に回動操作したときにガラス扉用施錠手段１１が夫々施錠を解除するようになっている。
【００２４】
上枠部４２ｄは上側が左右方向の直線状、下側が窓孔２５の開口縁に沿ってアーチ状又は円弧状であって、他の側枠部４２ａ，４２ｂ、下枠部４２ｃよりも上下幅、前後幅が大である上に、その内部にスピーカユニット４５、発光表示手段等が装着され、更に裏面にはそれらを覆う裏カバー４６が装着されている。このため扉主体２８の上枠部４２ｄは十分な強度があり、その裏面には第１〜第３補強部材３２ａ〜３２ｃに相当する補強部材は設けられていない。
【００２５】
扉枠４３の側枠部４２ａ，４２ｂ、下枠部４２ｃ及び上枠部４２ｄには、図４〜図７に示すように、その外周縁の略全長に前後両側又は片側へと屈曲する補強縁４７ａ〜４７ｄが一体に形成されており、また側枠部４２ａ，４２ｂ及び下枠部４２ｃの裏側にはその補強縁４７ａ〜４７ｄに近接して第１〜第３補強部材３２ａ〜３２ｃが上下方向、左右方向に夫々固定されている。
【００２６】
第１〜第３補強部材３２ａ〜３２ｃは帯板状の板金材を所定形状に屈曲形成したものである。第３補強部材３２ｃには第１補強部材３２ａの板厚Ｔａ（図１０参照）よりも厚い板厚Ｔｃ（図１２参照）の板金材が、第２補強部材３２ｂには第３補強部材３２ｃの板厚Ｔｃよりも厚い板厚Ｔｂ（図１２参照）の板金材が夫々用いられている。従って、第２補強部材３２ｂの板厚Ｔｂは第１補強部材３２ａの板厚Ｔａよりも厚くなっており、第１〜第３補強部材３２ａ〜３２ｃの板厚はＴａ＜Ｔｃ＜Ｔｂの関係にある。
【００２７】
第１〜第３補強部材３２ａ〜３２ｃは補強縁４７ａ〜４７ｃの内側近傍で扉枠４３の裏面に形成された凹部４８ａ〜４８ｃ内に配置され、長手方向に所定間隔をおいて配置された複数個のネジ４９ａ〜４９ｃにより裏側から扉枠４３に固定されている。各凹部４８ａ〜４８ｃは補強部材３２ａ〜３２ｃの厚さに応じて深さが異なっており、扉枠４３の裏面が面一状になっている。従って、ガラス板ユニット３１の外周部は扉枠４３の裏面に密着している。
【００２８】
例えば第１補強部材３２ａは図３、図４、図１３に示すように、第１補強部材３２ａを貫通して側枠部４２ａの取り付けボス５１ａに螺合するネジ４９ａ、或いは図１１に示すように第１補強部材３２ａ等を貫通して側枠部４２ａの前面の取り付けボス５１ａに螺合するネジ４９ａ等により固定されている。第２補強部材３２ｂは図３、図４に示すように、側枠部４２ｂに螺合するネジ４９ｂにより固定されている。第３補強部材３２ｃは、図３、図１２に示すように、下枠部４２ｃの前面の取り付けボス５０ｃに螺合するネジ４９ｃにより固定されている。
【００２９】
第１〜第３補強部材３２ａ〜３２ｃの少なくともガラス板ユニット３１が当接する部分は、扉枠４３の第１〜第３補強部材３２ａ〜３２ｃ以外のガラス板ユニット３１が当接する部分と略面一状になっており、それらにガラス板ユニット３１の保持部材３５の当接部３９が裏側から当接している。
【００３０】
第１補強部材３２ａ、第２補強部材３２ｂは、図３、図４に示すように扉枠４３の各側枠部４２ａ，４２ｂの上下方向の略全長にわたって上下方向に配置され、上下両端部を含む複数箇所でネジ４９ａ，４９ｂにより扉枠４３の裏面に固定されている。第１補強部材３２ａは図４、図６に示すように、補強縁４７ａの内側近傍で裏側へと屈曲する屈曲縁５２ａと、屈曲縁５２ａの後端から左右方向の外側へと屈曲する嵌合縁５３ａとが上下方向の略全長にわたって設けられている。嵌合縁５３ａは図６に示すようにガラス扉７を閉じたときに前枠３の嵌合溝５４に嵌合して両者間の隙間を封じるためのものであり、その嵌合溝５４はガラス扉用ヒンジ９の外側で前枠３に装着された補強板５５の前端内側に形成されている。
【００３１】
第１補強部材３２ａの上下両端部には、図４、図１０、図１１に示すようにその前面に上下一対のガラス扉用ヒンジ９の可動ヒンジブラケット５６が適宜固定手段、例えばリベット６０により固定されている。即ち、上側のガラス扉用ヒンジ９は図１０に示すように、前枠３に固定され且つヒンジ孔５７を有する固定ヒンジブラケット５８と、第１補強部材３２ａの上端部に固定され且つ固定ヒンジブラケット５８の下側に配置された可動ヒンジブラケット５６と、可動ヒンジブラケット５６に保持され且つ固定ヒンジブラケット５８のヒンジ孔５７に挿脱自在に挿入されたヒンジ軸５９とを有する。ヒンジ軸５９は可動ヒンジブラケット５６に上下摺動自在に保持され、バネ６１により上方に付勢されている。ヒンジ軸５９は下端側に摘まみ部５９ａを有し、その摘まみ部５９ａは裏側から操作可能に第１補強部材３２ａの口部６２ａを介して裏側に突出している。
【００３２】
下側のガラス扉用ヒンジ９は図１１に示すように、前枠３に固定された固定ヒンジブラケット５８と、この固定ヒンジブラケット５８から上向きに突出するヒンジ軸５９と、第１補強部材３２ａの下端部に固定され且つ固定ヒンジブラケット５８の上側に配置された可動ヒンジブラケット５６とを有し、可動ヒンジブラケット５６にヒンジ軸５９が嵌合するヒンジ孔５７が設けられている。
【００３３】
第２補強部材３２ｂは図４、図７、図１２に示すように、補強縁４７ｂの内側近傍で裏側へと屈曲する屈曲縁５２ｂを上下方向の略全長に備えると共に、この屈曲縁５２ｂから裏側に突出して内側に屈曲する平面視Ｌ字状の受け具６２が上下両端部、中間部等の所要箇所に曲げ加工により一体に設けられている。
【００３４】
第２補強部材３２ｂの扉枠４３の隅部に対応する下部には、図４に示すように屈曲縁５２ｂ側が切り欠き部６４ｂとなった迂回部６３ｂを有し、その切り欠き部６４ｂに位置すべく第２補強部材３２ｂに施錠操作手段１２が装着されている。施錠操作手段１２は図１２、図１６に示すように、シリンダ状の本体部６５と、一対の係合爪６６ａ，６６ｂを有し且つ本体部６５の前後方向の操作軸６７の後端に固定された係合操作部６６とを備え、本体部６５の前側からキーを挿入して回動操作したときに、一対の係合操作部６６が前後方向の操作軸６７廻りに正逆回動するようになっている本体部６５はその後端側の取り付け部６５ａが取り付け板６８を介して第２補強部材３２ｂに固定されている。本体部６５は側枠部４２ｂの筒部６９から化粧カバー４４の筒部４４ｂに嵌合し、化粧カバー４４の前面のキー挿入口７０に対応している。取り付け板６８は側枠部４２ｂに形成された突部７１に裏側から当接している。
【００３５】
第３補強部材３２ｃは第１補強部材３２ａと第２補強部材３２ｂとの下端部間を左右に連結するもので、図４、図５、図１２〜図１５に示すように、扉枠４３の下枠部４２ｃの左右方向の略全長にわたって配置され、左右方向の複数箇所でネジ４９ｃ等により扉枠４３の裏面に固定されている。この第３補強部材３２ｃにはガラス板ユニット３１を下側から受ける受け部７２ｃと、補強縁４７ｃの内側近傍に位置する屈曲縁５２ｃとが上下両側から裏側へと屈曲して設けられている。受け部７２ｃは第３補強部材３２ｃの左右方向の中央とその左右両側とに設けられており、その上面でガラス板ユニット３１を下側から受けるようになっている。屈曲縁５２ｃは下枠部４２ｃの補強縁４７ｃに近接して第３補強部材３２ｃの下端の略全長に設けられている。
【００３６】
なお、第３補強部材３２ｃと受け部７２ｃとの屈曲部分には図１４、図１５に示すように、その屈曲部分の剛性を確保すべく両者に跨がって補強部７３ｃが設けられている。この補強部７３ｃは第３補強部材３２ｃと受け部７２ｃとの屈曲部分を横切る方向にＶ字状、その他の凹部を形成することにより構成されている。
【００３７】
第３補強部材３２ｃには図３、図４、図１４に示すように、受け部７２ｃよりも上側に突出する取り付け部７４ｃが各受け部７２ｃ間と左右両端部とに設けられ、その各取り付け部７４ｃがネジ４９ｃにより扉枠４３の裏面に固定されている。左右両端の取り付け部７４ｃの内、第１補強部材３２ａ側の取り付け部７４ｃには第１補強部材３２ａの下端部の内側に並ぶ連結部７５ａが、第２補強部材３２ｂ側の取り付け部７４ｃには第２補強部材３２ｂの下端部の裏側に重なる連結部７５ｂが夫々上向きに突出して設けられている。
【００３８】
第３補強部材３２ｃの連結部７５ａは連結板７６を介して第１補強部材３２ａの下端部に連結されている。連結板７６は左右に並ぶ連結部７５ａと第１補強部材３２ａとに跨がって裏側から重なり、ネジ４９ａ，４９ｃにより第１補強部材３２ａ、連結部７５ａを介して扉枠４３に固定されている。第３補強部材３２ｃの連結部７５ｂは第２補強部材３２ｂと重ねてネジ４９ｂにより扉枠４３に共締めにより固定されている。
【００３９】
第１〜第３補強部材３２ａ〜３２ｃはガラス板ユニット３１の保持部材３５の当接部３９が裏側から当接する当接部分を有する。即ち、図３に示すように、第１補強部材３２ａはその裏面側の内縁部が、第２補強部材３２ｂは迂回部６３ｂの裏面側の内縁部が夫々当接部分となり、第３補強部材３２ｃは連結部７５ｂを含む取り付け部７４ｃの受け部７２ｃよりも上側の裏面側が当接部分となっている。
【００４０】
従って、この実施形態では、ガラス板ユニット３１は第１補強部材３２ａに対しては上下方向の寸法の半分以上が、第２補強部材３２ｂに対しては上下方向の寸法の半分未満が夫々当接している。なお、迂回部６３ｂの上端から第２補強部材３２ｂの上部側までの上側では扉枠４３の裏面が当接部分となり、この当接部分にガラス板ユニット３１の保持部材３５の略全周が裏側から当接している。
【００４１】
前枠用施錠手段５とガラス扉用施錠手段１１は図７、図１２、図１６、図１７に示すように共通の施錠操作手段１２により解除操作可能に並べて設けられている。前枠用施錠手段５は、外枠２の内側に固定された上下一対の受け具７８と、この前枠３に設けられ且つ前枠３を閉じたときに各受け具７８に係脱自在に係合する掛け具７９と、上下の掛け具７９を連動連結する連動部材８０とを有し、掛け具７９は受け具７８に係脱すべく前枠３の凹部内の支持板８１に支軸８２廻りに回動自在に枢支されている。
【００４２】
ガラス扉用施錠手段１１は、ガラス扉７の裏側に固定された上下方向に複数個の受け具６２と、前枠３の凹部内に連動部材８０と並べて配置され且つ支持板８１により上下動自在に支持された施錠板８３と、各受け具６２に対応して施錠板８３に設けられ且つガラス扉７を閉じたときに各受け具６２に係脱自在に係合する掛け具８４とを有する。
【００４３】
前枠用施錠手段５とガラス扉用施錠手段１１はその連動部材８０、施錠板８３を上下逆向きに操作したときに施錠を解除するようになっており、その連動部材８０、施錠板８３間に、両者を施錠方向に付勢するバネ８５が設けられている。連動部材８０、施錠板８３は施錠操作手段１２の内側近傍を迂回する屈曲部８０ａ，８３ａを有し、その屈曲部８０ａ，８３ａに連動爪８０ｂ，８３ｂが設けられている。連動爪８０ｂ，８３ｂはガラス扉７を閉じたときに係合操作部６６の一対の係合爪６６ａ，６６ｂ間に係合可能に位置するようになっている。
【００４４】
係合手段２９は図３〜図５、図１４に示すように、ガラス板ユニット３１の保持部材３５から下方に突出する係合突起８６ａと、第３補強部材３２ｃの受け部７２ｃに形成され且つ係合突起８６ａが上側から係脱自在に係合する係合孔８６ｂとを備え、左右方向に所定の間隔をおいて２個設けられている。なお、係合手段２９は３個の受け部７２ｃの内、左右の受け部７２ｃに対応して設けられているが、中央の受け部７２ｃに対応して設けてもよい。
【００４５】
締結手段３０は図３、図４、図１８、図１９に示すように、ガラス板ユニット３１の保持部材３５から外側に突出する突出部８７を裏側から扉枠４３側へと押圧する締結部材８８と、この締結部材８８を扉枠４３の裏側で押圧・解除自在に枢支する支軸８９とを備え、ガラス板ユニット３１の上部側の左右両側に設けられている。締結部材８８は摘まみ部８８ａを有し、また図外の保持手段により解除位置Ａと締結位置Ｂとに保持可能になっている。
【００４６】
扉主体２８とガラス板ユニット３１との間には、図１８、図１９に示すように、ガラス板ユニット３１を位置決めする位置決め手段９０が設けられ、また扉主体２８の裏面にはガラス板ユニット３１を位置決め手段９０へと案内する案内部材９１が設けられている。位置決め手段９０は突出部８７の前面に形成された位置決め凹部９２ａと、扉枠４３の裏面に形成され且つ位置決め凹部９２ａに前後方向に嵌脱自在に嵌合する位置決め突部９２ｂとから構成されている。案内部材９１は突出部８７を介してガラス板ユニット３１を案内するもので、突出部８７を左右方向の外側と上側とから案内するように扉枠４３の裏側に鉤状等に形成されている。なお、位置決め手段９０、案内部材９１は左右に一対設けられている。
【００４７】
このような構成のガラス扉７では、次のような利点がある。ガラス板ユニット３１を装着する際には、先ずガラス板ユニット３１の下部を扉主体２８の第３補強部材３２ｃに係合する。この場合、ガラス板ユニット３１の下部側の左右の係合突起８６ａを第３補強部材３２ｃの左右の受け部７２ｃに形成された係合孔８６ｂに上側から挿入すればよい。そして、係合突起８６ａを係合孔８６ｂに挿入すれば、ガラス板ユニット３１の下部が左右方向の３個の受け部７２ｃ上に載り、この受け部７２ｃによりガラス板ユニット３１が下側から支持された状態となる。
【００４８】
次に係合手段２９を支点としてガラス板ユニット３１の上部側を扉主体２８の裏面に当接させた後、このガラス板ユニット３１の上部を左右の締結手段３０により締結して、ガラス板ユニット３１を扉主体２８の裏面に押圧させる。このとき仮にガラス板ユニット３１が左右又は上側に若干位置ずれした状態にあっても、ガラス板ユニット３１の上部側が扉主体２８の裏面に接近したときに左右の案内部材９１が突出部８７を介してガラス板ユニット３１を案内でき、突出部８７の位置決め凹部９２ａと扉枠４３の位置決め突部９２ｂとが嵌合するので、位置決め手段９０によりガラス板ユニット３１を適正位置に位置決めすることができる。
【００４９】
締結手段３０によりガラス板ユニット３１を締結する際には、締結部材８８の摘まみ部８８ａを操作して解除位置Ａにある締結部材８８を支軸８９廻りに突出部８７側に廻せば、その締結部材８８が突出部８７の裏側に乗り上げてガラス板ユニット３１を扉主体２８側へと押圧して締結することができる。
【００５０】
このガラス扉７では、扉主体２８は少なくともその左右の側枠部４２ａ，４２ｂに沿って上下方向に配置された左右一対の第１補強部材３２ａ及び第２補強部材３２ｂと、その下枠部４２ｃに沿って左右方向に配置され且つ左右両端が第１補強部材３２ａ及び第２補強部材３２ｂの下端部に連結された第３補強部材３２ｃとを別々に備え、またガラス板ユニット３１はその左右の側縁４０ａ，４０ｂが扉主体２８の第１補強部材３２ａ及び第２補強部材３２ｂに、その下縁４０ｃが扉主体２８の第３補強部材３２ｃに夫々当接して扉主体２８の裏面に押圧する構造となっているので、扉主体２８の窓孔２５を大きく取った場合でも、ガラス板ユニット３１により扉主体２８を補強することができ、扉主体２８に使用する第１〜第３補強部材３２ａ〜３２ｃの無駄を抑えつつガラス扉７の強度を容易に確保することができる。
【００５１】
即ち、扉主体２８は左右の第１補強部材３２ａ及び第２補強部材３２ｂと、この第１補強部材３２ａ及び第２補強部材３２ｂの下端部に連結された第３補強部材３２ｃとを別々に備えているので、従来の一体構造の補強板等に比較して第１〜第３補強部材３２ａ〜３２ｃに帯板状の板金材等を使用することが可能であり、材料の無駄を削減できる。
【００５２】
一方、ガラス板ユニット３１の側縁４０ａ，４０ｂを扉主体２８の第１補強部材３２ａ及び第２補強部材３２ｂに、下縁４０ｃを扉主体２８の第３補強部材３２ｃに夫々当接させて、ガラス板ユニット３１が扉主体２８の裏面に押圧する構造であるため、このガラス板ユニット３１により扉主体２８を補強することができ、扉主体２８の強度を容易に確保できる。またガラス板ユニット３１で扉主体２８を補強するため、従来のように扉主体２８の裏側の全面に一体構造の補強板を装着する必要がなく、帯板状の板金材の第１〜第３補強部材３２ａ〜３２ｃ程度で扉主体２８を補強すればよいので、第１〜第３補強部材３２ａ〜３２ｃの使用量を削減でき製作コストを低減することができる。
【００５３】
第３補強部材３２ｃとガラス板ユニット３１の下部との間に、ガラス板ユニット３１が上側から着脱自在に係合する係合手段２９があり、扉主体２８の上部側に、係合手段２９を支点としてガラス板ユニット３１の上部側を扉主体２８側に締結する締結手段３０があるので、扉主体２８に対するガラス板ユニット３１の装着が容易である上に、ガラス板ユニット３１を扉主体２８の裏面に容易に固定することができる。
【００５４】
しかも締結手段３０でガラス板ユニット３１を締結したときにガラス板ユニット３１の略全周縁が第１〜第３補強部材３２ａ〜３２ｃを含む扉主体２８の裏面に当接するようになっているため、締結状態での扉主体２８とガラス板ユニット３１との当接面方向の相対移動を防止でき、ガラス板ユニット３１による扉主体２８の補強効果を増大させることができる。
【００５５】
また第３補強部材３２ｃには裏側へと屈曲し且つ係合手段２９の係合状態でガラス板ユニット３１を下側から受ける左右一対の受け部７２ｃがあり、この各受け部７２ｃに対応して係合手段２９が左右に一対あるため、ガラス扉７の捩れ方向の歪みを容易に防止できる。特にガラス板ユニット３１の上部側を位置決め手段９０により扉主体２８に対して位置決めしているので、締結手段３０はガラス板ユニット３１の上部側を扉主体２８側に押圧する程度のもので、扉主体２８とガラス板ユニット３１との捩れ方向の歪みを防止できる。
【００５６】
しかも各係合手段２９はガラス板ユニット３１から下方に突出する係合突起８６ａと、受け部７２ｃに形成され且つ係合突起８６ａが係合する係合孔８６ｂとを備えているので、扉主体２８とガラス板ユニット３１との間に係合手段２９を簡単に設けることができる。
【００５７】
扉主体２８を補強する第１補強部材３２ａと第２補強部材３２ｂとの内、施錠操作手段１２側の第２補強部材３２ｂの板厚Ｔｂをガラス扉用ヒンジ９側の第１補強部材３２ａの板厚Ｔａよりも厚くし、この第２補強部材３２ｂにガラス扉用施錠手段１１の受け具６２を折り曲げ加工により一体に設けているので、受け具６２の剛性を十分に確保できると共に、受け具６２を溶接等で第２補強部材３２ｂに固定する場合に比較して製作が容易であり、第２補強部材３２ｂの製作コストを削減できる。
【００５８】
また第２補強部材３２ｂに比較して第１補強部材３２ａの板厚Ｔａが薄いので、第１補強部材３２ａに第２補強部材３２ｂと同じ厚さの板金材を使用する場合に比較して材料の無駄を防止することができる。即ち、扉主体２８の第１補強部材３２ａ側はその上下のガラス扉用ヒンジ９を介して前枠３側に連結されており、ガラス扉７を前枠３に装着した状態では前枠３により扉主体２８の捩れ等に抗することができる。従って、第１補強部材３２ａに薄手の板金材を使用することにより、材料の無駄を抑えながらも所定の強度を容易に確保することができる。なお、第１補強部材３２ａは屈曲縁５２ａと嵌合縁５３ａとを有するため、この屈曲縁５２ａ、嵌合縁５３ａにより、第１補強部材３２ａ自体の剛性も容易に確保することができる。
【００５９】
第３補強部材３２ｃは受け部７２ｃを有し、この受け部７２ｃでガラス板ユニット３１の荷重を下側から受けているが、第３補強部材３２ｃの板厚Ｔｃは第１補強部材３２ａの板厚Ｔａよりも厚くしているので、ガラス板ユニット３１の荷重を確実に支持することができる。また第３補強部材３２ｃの板厚Ｔｃを薄くしても受け部７２ｃの長さを容易に確保することができるので、掛け具８４の幅を確保し難い第２補強部材３２ｂと同じ板厚Ｔｂにする必要がなく、この点でも材料の無駄を防止することができる。
【００６０】
第３補強部材３２ｃは受け部７２ｃよりも上側に突出する取り付け部７４ｃを左右方向に複数個備え、この取り付け部７４ｃの裏面にガラス板ユニット３１が当接するようにしているので、受け部７２ｃの下側で第３補強部材３２ｃの裏側にガラス板ユニット３１が当接する構造に比較して、第３補強部材３２ｃの上側部分に長く受け部７２ｃを設けることが可能であり、この受け部７２ｃにより第３補強部材３２ｃの強度を向上させることができる。
【００６１】
更に第１〜第３補強部材３２ａ〜３２ｃのガラス板ユニット３１が当接する部分は、扉主体２８の第１〜第３補強部材３２ａ〜３２ｃ以外のガラス板ユニット３１が当接する部分と略面一であり、ガラス板ユニット３１の略全周が第１〜第３補強部材３２ａ〜３２ｃを含む扉主体２８の裏面に当接する。このためガラス板ユニット３１側の保持部材３５等に凹凸構造を設ける必要がなく、ガラス板ユニット３１側の構造も単純化することができる。
【００６２】
図２０、図２１は本発明の第２の実施形態を例示する。この実施形態の第３補強部材３２ｃはガラス扉用ヒンジ９側の端部に、第１補強部材３２ａの裏側に重なる連結部７５ａを有し、その連結部７５ａがネジ４９ａにより第１補強部材３２ａ、可動ヒンジブラケット５６と共締めにより扉枠４３に固定されている。連結部７５ａの下側には、この連結部７５ａとの間のスリット９３を介して屈曲縁５２ｃがガラス扉用ヒンジ９側の端部まで伸びている。他の構成は第１の実施形態と同様である。
【００６３】
このように第３補強部材３２ｃのガラス扉用ヒンジ９側は、その端部の連結部７５ａを第１補強部材３２ａの下端部に重ねてネジ４９ａにより直接固定してもよい。
【００６４】
図２２は本発明の第３の実施形態を例示する。この実施形態では、ガラス板ユニット３１の左右の第１補強部材３２ａ、第２補強部材３２ｂに対する当接範囲Ｃが略同程度となるようにしている。ガラス板ユニット３１の当接範囲Ｃは左右ともガラス板ユニット３１の上下方向の寸法の半分以上となっている。他の構成は第１の実施形態と同様である。
【００６５】
第１の実施形態の場合にはガラス扉用ヒンジ９側の第１補強部材３２ａに対するガラス板ユニット３１の当接範囲が上下方向に長くなっており、施錠操作手段１２側の第２補強部材３２ｂに対しては下側の一部が当接するようになっているが、このように左右ともガラス板ユニット３１の上下方向の寸法の半分以上を当接させることによって、ガラス板ユニット３１により扉主体２８を更に補強でき、ガラス扉７の強度を向上させることができる。
【００６６】
なお、この実施形態では、ガラス板ユニット３１は左右の第１、第２補強部材３２ａ，３２ｂに対して上下方向の寸法の半分以上が当接しているが、少なくとも一方に対して上下方向の寸法の半分以上が当接すれば十分である。
【００６７】
図２３〜図２６は本発明の第４の実施形態を例示する。この実施形態では、扉主体２８の扉枠４３にガラス板ユニット３１用の嵌合部９６が設けられ、その嵌合部９６にガラス板ユニット３１が裏側から着脱自在に嵌合され、締結手段３０により固定されている。嵌合部９６は扉枠４３の各枠部４２ａ〜４２ｄから前側に屈曲する嵌合壁９７ａ〜９７ｄと、嵌合壁９７ａ〜９７ｄの前端から窓孔２５の内側に屈曲する受け壁９８ａ〜９８ｄとを周方向の略全周に備えている。第１、第２補強部材３２ａ，３２ｂの内端側には嵌合壁９７ａ〜９７ｄに沿って屈曲する屈曲部９９ａ，９９ｂを有し、この屈曲部９９ａ，９９ｂに接触するように左右の嵌合壁９７ａ，９７ｂ間にガラス板ユニット３１が嵌合し、そのガラス板ユニット３１の保持部材３５の前端が受け壁９８ａ〜９８ｄに当接している。
【００６８】
第３補強部材３２ｃには嵌合壁９７ｃに沿って前側に屈曲する受け部７２１ｃと、この受け部７２１ｃと略同じ高さで裏側に屈曲する受け部７２２ｃとを有し、これら受け部７２１ｃ，７２２ｃにより嵌合部９６内のガラス板ユニット３１を受けるようになっている。また第３補強部材３２ｃとガラス板ユニット３１との間には、ガラス板ユニット３１の下部を第３補強部材３２ｃに係合させる係合手段２９が設けられている。係合手段２９はガラス板ユニット３１の保持部材３５側の係合突起８６ａと、受け部７２２ｃ側の係合孔８６ｂとにより構成されている。
【００６９】
扉枠４３には、その一部、例えばガラス板ユニット３１の上側に、嵌合部９６に嵌合するガラス板ユニット３１を取り外すときに、ガラス板ユニット３１に指を掛けるための指掛け部１００が嵌合壁９７ｄから上側に凹入状に設けられている。また指掛け部１００には化粧カバー４４内の構成部材との干渉を防止するように保護カバー１０１が設けられている。嵌合壁９７ｄの内周には、ガラス板ユニット３１を嵌合部９６内に押し込むときに保持部材３５を案内する案内部１０２が前後方向に設けられている。他の構成は第１の実施形態と同様である。
【００７０】
ガラス板ユニット３１を装着する場合には、係合手段２９を介してガラス板ユニット３１を第３補強部材３２ｃに係合させた後、ガラス板ユニット３１の上部を案内部１０２に沿って押し込めばよく、これによって容易にガラス板ユニット３１を扉枠４３の嵌合部９６内に嵌合することができる。嵌合後のガラス板ユニット３１は締結手段３０により固定する。
【００７１】
このように扉枠４３に嵌合部９６を設けて、その嵌合部９６にガラス板ユニット３１が嵌合するようにしても、ガラス板ユニット３１により扉枠４３、扉主体２８を内周側から補強することができる。第１、第２補強部材３２ａ，３２ｂは屈曲部９９ａ，９９ｂを有するため、その剛性が更に向上する。またガラス板ユニット３１は第３補強部材３２ｃを介して下端側が左右に連結された第１補強部材３２ａと第２補強部材３２ｂとの屈曲部９９ａ，９９ｂに当接しているので、嵌合部９６内にガラス板ユニット３１を圧入状に押し込むように構成しても、扉枠４３に掛かる負担を軽減することができる。なお、第１、第２補強部材３２ａ，３２ｂの屈曲部９９ａ，９９ｂは省略してもよい。
【００７２】
以上、本発明の各実施形態について詳述したが、本発明はこの各実施形態に限定されるものではなく、本発明の趣旨を逸脱しない範囲で種々の変更が可能である。例えば、実施形態では、透明板にガラス板３４を用いた場合を例示し、透明板ユニット３１をガラス板ユニット３１とし、開閉扉をガラス扉７としているが、透明板にはガラス板３４以外のもの、例えば透明な合成樹脂板を使用してもよい。
【００７３】
また実施形態では、左右の側枠部４２ａ，４２ｂに第１補強部材３２ａ、第２補強部材３２ｂを、下枠部４２ｃに第３補強部材３２ｃを夫々備えた扉主体２８を例示しているが、上枠部４２ｄにも補強部材を設けてもよい。第１〜第３補強部材３２ａ〜３２ｃを相互に連結するに当たっては、前後に重ねて扉枠４３に固定する他、一方に他方を係合又は挿入して連結してもよい。
【００７４】
ガラス板ユニット３１が当接する部分の扉主体２８の裏面は略面一状であることが望ましいが、第１〜第３補強部材３２ａ〜３２ｃの裏面と、第１〜第３補強部材３２ａ〜３２ｃ以外の部分の裏面（扉枠４３の裏面）とは、第１〜第３補強部材３２ａ〜３２ｃの裏面を第１〜第３補強部材３２ａ〜３２ｃ以外の部分の裏面よりも後方に突出させるか、又は逆にする等、前後方向に所定の高低差を持たせてもよい。ガラス板ユニット３１の略全周が扉主体２８の裏面に当接することが望ましいが、保持部材３５に周方向に所定の間隔をおいて複数の当接部３９を設け、その当接部３９が扉主体２８の扉枠４３、第１〜第３補強部材３２ａ〜３２ｃの裏面に当接するようにしてもよい。
【００７５】
係合手段２９は左右方向の中央部に１個設けてもよいし、左右方向に所定の間隔をおいて３個以上設けてもよい。また係合手段２９は係合突起８６ａを第３補強部材３２ｃに、係合孔８６ｂをガラス板ユニット３１の保持部材３５に設けてもよい。締結手段３０はガラス板ユニット３１の上部を扉主体２８側に締め付け得る構造であればよい。ガラス板ユニット３１が嵌合する嵌合部９６は、扉枠４３の裏側に突出させて設けてもよい。パチンコ機１以外の各種の弾球遊技機においても同様に実施可能である。
【符号の説明】
【００７６】
２  外枠（遊技機本体）
３  前枠（遊技機本体）
６  遊技盤
７  ガラス扉（開閉扉）
９  ヒンジ
１１  施錠手段
１２  施錠操作手段
１７  遊技領域
２５  窓孔
３２ａ  第１補強部材
３２ｂ  第２補強部材
３２ｃ  第３補強部材
４３  扉枠
５２ｂ  屈曲縁
５６  可動ヒンジブラケット
６２  受け具
８４  掛け具
【図１】
2015051349.tif 000003
【図２】
2015051349.tif 000004
【図３】
2015051349.tif 000005
【図４】
2015051349.tif 000006
【図５】
2015051349.tif 000007
【図６】
2015051349.tif 000008
【図７】
2015051349.tif 000009
【図８】
2015051349.tif 000010
【図９】
2015051349.tif 000011
【図１０】
2015051349.tif 000012
【図１１】
2015051349.tif 000013
【図１２】
2015051349.tif 000014
【図１３】
2015051349.tif 000015
【図１４】
2015051349.tif 000016
【図１５】
2015051349.tif 000017
【図１６】
2015051349.tif 000018
【図１７】
2015051349.tif 000019
【図１８】
2015051349.tif 000020
【図１９】
2015051349.tif 000021
【図２０】
2015051349.tif 000022
【図２１】
2015051349.tif 000023
【図２２】
2015051349.tif 000024
【図２３】
2015051349.tif 000025
【図２４】
2015051349.tif 000026
【図２５】
2015051349.tif 000027
【図２６】
2015051349.tif 000028
【手続補正書】
【提出日】平成26年12月22日(2014.12.22)
【手続補正１】
【補正対象書類名】特許請求の範囲
【補正対象項目名】全文
【補正方法】変更
【補正の内容】
【特許請求の範囲】
【請求項１】
遊技機本体の遊技盤の前面側に配置され且つ左右一端側のヒンジにより前記遊技機本体に開閉自在に枢着された開閉扉を備え、
該開閉扉は前記遊技盤の遊技領域に対応する窓孔が形成された扉主体と、該扉主体の裏側に着脱自在に装着され且つ前記遊技領域を透視可能に前記窓孔を塞ぐ透明板ユニットとを備えた弾球遊技機において、
前記扉主体を補強する補強部材を該扉主体の裏側に備え、
前記扉主体の下部側に、前記透明板ユニットが上側から係脱自在に係合する係合手段を備え、
前記扉主体の上部側に、前記透明板ユニットの保持部材から外周側に突出する突出部を前記扉主体の裏側に締結する締結手段を備え、
前記透明板ユニットを位置決めする位置決め手段を前記突出部に対応して前記扉主体に備えた
ことを特徴とする弾球遊技機。
【手続補正２】
【補正対象書類名】明細書
【補正対象項目名】０００８
【補正方法】変更
【補正の内容】
【０００８】
本発明は、このような従来の問題点に鑑み、開閉扉を容易に補強できる弾球遊技機を提供することを目的とする。
【手続補正３】
【補正対象書類名】明細書
【補正対象項目名】０００９
【補正方法】変更
【補正の内容】
【０００９】
本発明は、遊技機本体の遊技盤の前面側に配置され且つ左右一端側のヒンジにより前記遊技機本体に開閉自在に枢着された開閉扉を備え、該開閉扉は前記遊技盤の遊技領域に対応する窓孔が形成された扉主体と、該扉主体の裏側に着脱自在に装着され且つ前記遊技領域を透視可能に前記窓孔を塞ぐ透明板ユニットとを備えた弾球遊技機において、前記扉主体を補強する補強部材を該扉主体の裏側に備え、前記扉主体の下部側に、前記透明板ユニットが上側から係脱自在に係合する係合手段を備え、前記扉主体の上部側に、前記透明板ユニットの保持部材から外周側に突出する突出部を前記扉主体の裏側に締結する締結手段を備え、前記透明板ユニットを位置決めする位置決め手段を前記突出部に対応して前記扉主体に備えたものである。
【手続補正４】
【補正対象書類名】明細書
【補正対象項目名】００１０
【補正方法】変更
【補正の内容】
【００１０】
本発明では、開閉扉を容易に補強できる利点がある。